(57)【要約】【課題】レベリングアクチュエータを備えた車両用灯具において、レベリングアクチュエータを配置するためのスペースを灯具構成に応じて容易に確保可能とする。【解決手段】レベリングアクチュエータ６０の出力軸部材６４を、灯具ユニット２０Ａに固定支持されたアクチュエータ本体６２から下方向へ向けて突出させた状態で、その先端部６４ａにおいて、灯具ユニット２０Ａを上下方向にエイミングするためのエイミングスクリュウ４６と螺合するエイミングナット５２に連結する。これにより、レベリングアクチュエータ６０とエイミングスクリュウ４６とを足し合わせた前後長を短くする。その上で、出力軸部材６４とエイミングナット５２との連結位置Ｄを、エイミングスクリュウ４６が回転する際の軸線Ａｘ１を含む鉛直面から左右方向に離れた位置に設定する。これによりレベリングアクチュエータ６０の配置の自由度を高める。【選択図】図５
2019061810.tif 000002
【特許請求の範囲】
【請求項１】
ランプボディと、このランプボディに対して上下方向および左右方向にエイミング可能に支持された灯具ユニットと、この灯具ユニットを上記エイミングによる回動とは独立して上下方向に回動させるためのレベリングアクチュエータと、を備えた車両用灯具において、
上記灯具ユニットを上下方向にエイミングするためのエイミングスクリュウが、上記ランプボディに対して灯具前後方向に延びる軸線回りに回転可能に支持されており、
上記エイミングスクリュウに、該エイミングスクリュウと螺合するエイミングナットが取り付けられており、
上記レベリングアクチュエータは、上記灯具ユニットに固定支持されたアクチュエータ本体と、このアクチュエータ本体から上方向または下方向へ向けて突出するように配置された状態で該アクチュエータ本体に対して灯具前後方向に移動可能に支持された出力軸部材とを備えており、
上記出力軸部材の先端部と上記エイミングナットとが、上記軸線を含む鉛直面から左右方向に離れた位置において連結されている、ことを特徴とする車両用灯具。
【請求項２】
上記エイミングナットは、上記ランプボディに対して灯具前後方向にスライド可能に支持されている、ことを特徴とする請求項１記載の車両用灯具。
【請求項３】
上記エイミングナットにおいて上記出力軸部材との連結位置の左右両側に位置する部分に、該エイミングナットを上記ランプボディに対して上下方向に弾性的に押圧するための弾性片がそれぞれ設けられている、ことを特徴とする請求項２記載の車両用灯具。
【請求項４】
上記エイミングナットにおいて上記軸線を含む鉛直面に関して上記出力軸部材との連結位置とは反対側に位置する部分に、該エイミングナットを上記ランプボディに対して左右方向に弾性的に押圧するための弾性片が設けられている、ことを特徴とする請求項１〜３いずれか記載の車両用灯具。
【請求項５】
上記エイミングナットにおいて上記軸線を含む鉛直面に関して上記出力軸部材との連結位置とは反対側に位置する部分に、該エイミングナットが上記連結位置を中心にして所定角度以上回動するのを上記灯具ユニットとの当接によって阻止するためのストッパーが設けられている、ことを特徴とする請求項１〜４いずれか記載の車両用灯具。
【請求項６】
上記エイミングナットに、上記出力軸部材の先端部を嵌め込むための凹部が形成されており、
上記凹部は、該凹部に嵌め込まれた上記出力軸部材の先端部が上下方向に所要量相対変位し得る内周面形状を有している、ことを特徴とする請求項１〜５いずれか記載の車両用灯具。
【請求項７】
上記凹部は、該凹部に嵌め込まれた上記出力軸部材の先端部が左右方向に所要量相対変位し得る内周面形状を有している、ことを特徴とする請求項６記載の車両用灯具。
【発明の詳細な説明】
【技術分野】
【０００１】
本願発明は、レベリングアクチュエータを備えた車両用灯具に関するものである。
【背景技術】
【０００２】
従来より、車両用灯具の構成として、ランプボディに対して上下方向および左右方向にエイミング可能に支持された灯具ユニットを、エイミングによる回動とは独立して上下方向に回動させるためのレベリングアクチュエータを備えたものが知られている。
【０００３】
「特許文献１」には、このようなレベリングアクチュエータの構成として、灯具ユニットに固定支持されたアクチュエータ本体に対して灯具前後方向に移動可能に支持された出力軸部材が、アクチュエータ本体から灯具後方へ向けて突出するように配置されたものが記載されている。
【０００４】
そして、この「特許文献１」に記載された車両用灯具においては、灯具ユニットを上下方向にエイミングするためのエイミングスクリュウがランプボディに対して灯具前後方向に延びる軸線回りに回転可能に支持されており、その上で、レベリングアクチュエータの出力軸部材がエイミングスクリュウと同一軸線上において該エイミングスクリュウの先端部へ向けた状態で配置された構成となっている。
【先行技術文献】
【特許文献】
【０００５】
【特許文献１】特開２００６−３１５５１２号公報
【発明の概要】
【発明が解決しようとする課題】
【０００６】
上記「特許文献１」に記載された車両用灯具においては、レベリングアクチュエータの出力軸部材がエイミングスクリュウに対して直列的に配置されているので、レベリングアクチュエータとエイミングスクリュウとを足し合わせた前後長が長くなってしまい、このためレベリングアクチュエータを配置するためのスペースを確保することが容易でない。
【０００７】
これに対し、レベリングアクチュエータの出力軸部材をアクチュエータ本体から上方向または下方向へ向けて突出するように配置し、その先端部においてエイミングナットに連結させるように構成すれば、レベリングアクチュエータとエイミングスクリュウとを足し合わせた前後長を短くすることが可能となる。
【０００８】
しかしながら、このような構成を採用した場合においても、灯具構成によってはレベリングアクチュエータを配置するためのスペースを確保することが困難となってしまう場合がある。
【０００９】
本願発明は、このような事情に鑑みてなされたものであって、レベリングアクチュエータを備えた車両用灯具において、レベリングアクチュエータを配置するためのスペースを灯具構成に応じて容易に確保することができる車両用灯具を提供することを目的とするものである。
【課題を解決するための手段】
【００１０】
本願発明は、レベリングアクチュエータおよびエイミングナットの構成に工夫を施すことにより、上記目的達成を図るようにしたものである。
【００１１】
すなわち、本願発明に係る車両用灯具は、
ランプボディと、このランプボディに対して上下方向および左右方向にエイミング可能に支持された灯具ユニットと、この灯具ユニットを上記エイミングによる回動とは独立して上下方向に回動させるためのレベリングアクチュエータと、を備えた車両用灯具において、
上記灯具ユニットを上下方向にエイミングするためのエイミングスクリュウが、上記ランプボディに対して灯具前後方向に延びる軸線回りに回転可能に支持されており、
上記エイミングスクリュウに、該エイミングスクリュウと螺合するエイミングナットが取り付けられており、
上記レベリングアクチュエータは、上記灯具ユニットに固定支持されたアクチュエータ本体と、このアクチュエータ本体から上方向または下方向へ向けて突出するように配置された状態で該アクチュエータ本体に対して灯具前後方向に移動可能に支持された出力軸部材とを備えており、
上記出力軸部材の先端部と上記エイミングナットとが、上記軸線を含む鉛直面から左右方向に離れた位置において連結されている、ことを特徴とするものである。
【００１２】
上記「エイミングスクリュウ」は、ランプボディに対して灯具前後方向に延びる軸線回りに回転可能に支持されていれば、灯具前後方向に延びる部分のみからなる構成であってもよいし、灯具前後方向に延びる部分に対して灯具前後方向と交差する方向に延びる部分がギヤ等を介して連結された構成であってもよい。
【００１３】
上記「出力軸部材」は、アクチュエータ本体から上方向または下方向へ向けて突出するように配置されているが、必ずしも真上や真下の方向へ向けて突出するように配置されていなくてもよく、レベリングならびに上下方向および左右方向のエイミングに支障が生じてしまわない範囲内であれば、真上や真下の方向から傾斜した方向へ向けて突出するように配置されていてもよい。
【００１４】
上記「出力軸部材」は、その先端部においてエイミングナットに連結されているが、その具体的な連結構造については特に限定されるものではない。
【００１５】
上記「出力軸部材の先端部」と上記「エイミングナット」との連結位置は、上記軸線を含む鉛直面から左右方向に離れた位置であれば、その具体的な位置については特に限定されるものではない。
【発明の効果】
【００１６】
本願発明に係る車両用灯具は、灯具ユニットをエイミングによる回動とは独立して上下方向に回動させるためのレベリングアクチュエータを備えているが、このレベリングアクチュエータの出力軸部材は、その先端部において、灯具ユニットを上下方向にエイミングするためのエイミングスクリュウと螺合するエイミングナットに連結されているので、この出力軸部材をアクチュエータ本体に対して灯具前後方向に移動させることによってレベリングを行うことができる。
【００１７】
その際、レベリングアクチュエータの出力軸部材は、灯具ユニットに固定支持されたアクチュエータ本体から上方向または下方向へ向けて突出するように配置されており、従来のようにエイミングスクリュウに対して直列的に配置された構成とはなっていないので、レベリングアクチュエータとエイミングスクリュウとを足し合わせた前後長を短くすることができ、これによりレベリングアクチュエータを配置するためのスペースを確保することが容易に可能となる。
【００１８】
その上で、本願発明においては、出力軸部材の先端部とエイミングナットとが、エイミングスクリュウが回転する際の軸線を含む鉛直面から左右方向に離れた位置において連結されているので、次のような作用効果を得ることができる。
【００１９】
すなわち、出力軸部材とエイミングナットとの連結位置がエイミングスクリュウとエイミングナットとの螺合位置に対して左右方向にオフセットしているので、レベリングアクチュエータの配置の自由度を高めることができ、これにより灯具構成に応じてレベリングアクチュエータを配置するためのスペースを確保することが容易に可能となる。
【００２０】
このように本願発明によれば、レベリングアクチュエータを備えた車両用灯具において、レベリングアクチュエータを配置するためのスペースを灯具構成に応じて容易に確保することができる。
【００２１】
また本願発明によれば、出力軸部材とエイミングナットとの連結位置がエイミングスクリュウとエイミングナットとの螺合位置に対して左右方向にオフセットしていることによって、レベリングアクチュエータとエイミングナットとを足し合わせた上下幅を小さくすることも容易に可能となる。
【００２２】
上記構成において、エイミングナットがランプボディに対して灯具前後方向にスライド可能に支持された構成とすれば、灯具ユニットを上下方向にエイミングするためにエイミングスクリュウを回転させたとき、エイミングナットが連れ回りしようとしてレベリングアクチュエータの出力軸部材との連結部分に無理な力が掛かってしまうのを未然に防止することができる。
【００２３】
その際、エイミングナットにおいて出力軸部材との連結位置の左右両側に位置する部分に、該エイミングナットをランプボディに対して上下方向に弾性的に押圧するための弾性片がそれぞれ設けられた構成とすれば、出力軸部材とエイミングナットとの連結位置がエイミングスクリュウとエイミングナットとの螺合位置に対して左右方向にオフセットしているにもかかわらず、エイミングナットとランプボディとの係合状態を確実に維持した上で、エイミングナットをランプボディに対してスライドさせるようにすることができる。
【００２４】
上記構成において、エイミングナットにおいて上記軸線を含む鉛直面に関して出力軸部材との連結位置とは反対側に位置する部分に、該エイミングナットをランプボディに対して左右方向に弾性的に押圧するための弾性片が設けられた構成とすれば、次のような作用効果を得ることができる。
【００２５】
すなわち、出力軸部材とエイミングナットとの連結位置がエイミングスクリュウとエイミングナットとの螺合位置に対して左右方向にオフセットしている場合には、レベリングやエイミングを行うことによってエイミングナットを左右方向に変位させようとする外力が作用することとなるが、弾性片によってエイミングナットが左右方向に弾性的に押圧されているので、エイミングナットの変位を規制することができる。そしてこれにより、エイミングナットとランプボディとの係合状態を確実に維持した上でレベリングやエイミングを行うことができる。
【００２６】
上記各「弾性片」は、エイミングナットと一体的に形成されたものであってもよいし、エイミングナットに別部材として取り付けられたものであってもよい。
【００２７】
上記構成において、エイミングナットにおいて上記軸線を含む鉛直面に関して出力軸部材との連結位置とは反対側に位置する部分に、該エイミングナットが連結位置を中心にして所定角度以上回動するのを灯具ユニットとの当接によって阻止するためのストッパーが設けられた構成とすれば、灯具製造工程において次のような作用効果を得ることができる。
【００２８】
すなわち、灯具ユニットにレベリングアクチュエータを取り付けて、その出力軸部材にエイミングナットを連結した後、この灯具ユニットをランプボディに組み付ける際、ストッパーによるエイミングナットの回動規制作用によってエイミングナットの姿勢を一定の傾斜角度範囲内に収めることができるので、ランプボディに支持されたエイミングスクリュウに対してエイミングナットを容易に螺合させることができる。
【００２９】
上記「ストッパー」は、エイミングナットと一体的に形成されたものであってもよいし、エイミングナットに別部材として取り付けられたものであってもよい。
【００３０】
ところで、本願発明のレベリングアクチュエータは、その出力軸部材がアクチュエータ本体から上方向または下方向へ向けて突出しており、その先端部においてエイミングナットに連結されているので、エイミングナットの構成として、出力軸部材の先端部を嵌め込むための凹部が形成された構成とした上で、この凹部の構成として、該凹部に嵌め込まれた出力軸部材の先端部が上下方向に所要量相対変位し得る内周面形状を有する構成とすることが可能となる。
【００３１】
そして、このような構成を採用した場合には、レベリングアクチュエータの出力軸部材とエイミングナットとの連結部分に無理な力が掛からないようにした上で、出力軸部材の灯具前後方向の移動を灯具ユニットの上下方向の回動として動力伝達することが可能となり、これによりレベリングおよび上下方向のエイミングが円滑に行われるようにすることができる。また、このような構成を採用することにより、各部材の組付け誤差を吸収することが可能となる。
【００３２】
その際、エイミングナットの凹部の内周面形状を、該凹部に嵌め込まれた出力軸部材の先端部が左右方向に所要量相対変位し得る形状とすれば、レベリングや上下方向のエイミングを行う際の灯具ユニットの回動中心軸線が車幅方向に対して前後に傾斜した斜め方向に延びているような場合であっても、レベリングアクチュエータの出力軸部材とエイミングナットとの連結部分に無理な力が掛からないようにすることが容易に可能となる。また、このような構成を採用することにより、各部材の組付け誤差を吸収することが可能となる。
【図面の簡単な説明】
【００３３】
【図１】本願発明の一実施形態に係る車両用灯具を示す正面図
【図２】図１のII−II線断面図
【図３】図１のIII 部詳細図
【図４】図２のIV部詳細図
【図５】図４のＶ−Ｖ線断面図
【図６】上記車両用灯具のエイミングナットを、レベリングアクチュエータおよびブラケットと共に示す底面図
【図７】上記車両用灯具の要部を斜め上前方から見て示す斜視図
【図８】上記車両用灯具のレベリング機能を説明するための、図２と同様の図
【図９】上記実施形態の第１変形例に係るエイミングナットの要部を示す底面図
【図１０】上記実施形態の第２変形例を示す、図２と同様の図
【図１１】上記実施形態の第３変形例を示す、図２と同様の図
【発明を実施するための形態】
【００３４】
以下、図面を用いて、本願発明の実施の形態について説明する。
【００３５】
図１は、本願発明の一実施形態に係る車両用灯具１０を示す正面図である。また、図２は、図１のII−II線断面図である。
【００３６】
これらの図において、Ｘで示す方向が灯具としての「前方」（車両としても「前方」）であり、Ｙで示す方向が「前方」と直交する「左方向」（車両としても「左方向」であるが灯具正面視では「右方向」）であり、Ｚで示す方向が「上方向」である。これら以外の図においても同様である。
【００３７】
図１に示すように、本実施形態に係る車両用灯具１０は車両の右前端部に配置されるヘッドランプであって、ランプボディ１２とその前端開口部に取り付けられた素通し状の透光カバー１４とで形成される灯室内に、ロービーム照射用の灯具ユニット２０Ａと、ハイビーム照射用の灯具ユニット２０Ｂとが車幅方向に並んで収容された構成となっている。
【００３８】
上記灯室内には、２つの灯具ユニット２０Ａ、２０Ｂの前方近傍において、これらを囲むように形成されたエクステンションパネル１６が配置されている。このエクステンションパネル１６には、各灯具ユニット２０Ａ、２０Ｂに対応する位置に該灯具ユニット２０Ａ、２０Ｂからの光照射を許容するための円形開口部１６ａが形成されている。
【００３９】
２つの灯具ユニット２０Ａ、２０Ｂは、共通のブラケット４０を介してランプボディ１２に支持されている。
【００４０】
このブラケット４０は、ランプボディ１２に対して、右上（灯具正面視では左上）に位置するピボット４２と左上および右下に位置する２つのエイミングスクリュウ４４、４６とによって、上下方向および左右方向に回動可能に支持されている。
【００４１】
また、このブラケット４０には、２つの灯具ユニット２０Ａ、２０Ｂを該ブラケット４０と共に、上記エイミングによる回動とは独立して上下方向に回動させるためのレベリングアクチュエータ６０が固定支持されている。
【００４２】
２つの灯具ユニット２０Ａ、２０Ｂは、いずれもプロジェクタ型の灯具ユニットとして構成されている。
【００４３】
図２に示すように、右側に位置するロービーム照射用の灯具ユニット２０Ａは、車両前後方向に延びる光軸Ａｘを有する投影レンズ２２と、この投影レンズ２２の後側焦点Ｆよりも後方側に配置された発光素子２４と、この発光素子２４を上方側から覆うように配置され、該発光素子２４からの光を投影レンズ２２へ向けて反射させるリフレクタ２６とを備えた構成となっている。
【００４４】
発光素子２４およびリフレクタ２６は、ベース部材３０に支持されており、投影レンズ２２は、レンズホルダ２８を介してベース部材３０に支持されている。
【００４５】
このベース部材３０には、ロービーム用配光パターンのカットオフラインを形成するために、リフレクタ２４からの反射光の一部を上向きに反射させて投影レンズ２２に入射させる上向き反射面３０ａが形成されている。
【００４６】
このベース部材３０の下面には、複数の放熱フィン３０ｂが形成されており、これによりベース部材３０はヒートシンクとして機能するようになっている。
【００４７】
そして、灯具ユニット２０Ａは、このベース部材３０においてブラケット４０に固定支持されている。
【００４８】
一方、灯具ユニット２０Ｂは、ハイビーム照射を行うために、その構成の一部が灯具ユニット２０Ａと異なっているが、それ以外の構成は灯具ユニット２０Ａと同様である。
【００４９】
ブラケット４０は、２つの灯具ユニット２０Ａ、２０Ｂの後方側において車幅方向に延びており、その下端部には２つの灯具ユニット２０Ａ、２０Ｂを支持するようにして灯具前方へ向けて延びる下壁部４０ａが形成されている。
【００５０】
灯室内の右上に位置するピボット４２は、灯具前後方向に延びるように配置されており、その先端部（前端部）４２ａが球状に形成されている。このピボット４２は、その基端部においてランプボディ１２に固定支持されている。そして、このピボット４２は、その先端部４２ａにおいて、ブラケット４０に装着されたスフェリカルステップベアリング４８と全方向回動可能に係合している。
【００５１】
灯室内の左上に位置するエイミングスクリュウ４４（図１参照）は、灯具前後方向に延びるように配置されており、その基端部（後端部）においてランプボディ１２に回転可能に支持されている。このエイミングスクリュウ４４は、その先端近傍部位において、ブラケット４０に装着されたエイミングナット５０と螺合している。このエイミングナット５０は、エイミングスクリュウ４４との螺合位置Ｂを中心にしてブラケット４０が前後方向にある程度回動し得る態様でブラケット４０に装着されている。
【００５２】
灯室内の右下に位置するエイミングスクリュウ４６も、灯具前後方向に延びるように配置されており、その基端部（後端部）においてランプボディ１２に回転可能に支持されている。このエイミングスクリュウ４６の先端近傍部位には、該エイミングスクリュウ４６と螺合するエイミングナット５２が取り付けられている。このエイミングナット５２は、レベリングアクチュエータ６０を介してブラケット４０に支持されている。
【００５３】
図１に示すように、ピボット４２の先端部４２ａとスフェリカルステップベアリング４８との係合位置Ａは、エイミングスクリュウ４４とエイミングナット５０との螺合位置Ｂと同じ高さに位置している。ただし、係合位置Ａは螺合位置Ｂに対して灯具後方側に変位している。一方、エイミングスクリュウ４６とエイミングナット５２との螺合位置Ｃは、係合位置Ａの真下の位置に対して車幅方向外側（右側）に変位している。
【００５４】
２つの灯具ユニット２０Ａ、２０Ｂを上下方向にエイミングする際の回動中心軸線Ｌａｂは、係合位置Ａと螺合位置Ｂとを結ぶ直線となるので、水平面内において螺合位置Ｂから係合位置Ａへ向けて灯具後方側に傾斜した方向に延びる直線となる。
【００５５】
一方、２つの灯具ユニット２０Ａ、２０Ｂを左右方向にエイミングする際の回動中心軸線Ｌａｃは、係合位置Ａとその真下に位置する連結位置Ｄ（これについては後述する）とを結ぶ鉛直方向に延びる直線となっている。
【００５６】
図３は、図１のIII 部詳細図であり、図４は、図２のIV部詳細図である。また、図５は、図４のＶ−Ｖ線断面図であり、図６は、エイミングナット５２をレベリングアクチュエータ６０およびブラケット４０と共に示す底面図である。さらに、図７は、車両用灯具１０の要部を斜め上前方から見て示す斜視図である。
【００５７】
これらの図にも示すように、レベリングアクチュエータ６０は、ブラケット４０の下壁部４０ａに固定支持されたアクチュエータ本体６２と、このアクチュエータ本体６２に対して灯具前後方向に移動可能に支持された出力軸部材６４とを備えた構成になっている。
【００５８】
アクチュエータ本体６２の下壁部には、灯具前後方向に延びる長孔６２ａが形成されている。そして、出力軸部材６４は、アクチュエータ本体６２の長孔６２ａから下方向（具体的には真下の方向）へ向けて突出するように配置されている。また、アクチュエータ本体６２の左右両側面には、その上端部に孔付きのタブ６２ｂが形成されている。そして、レベリングアクチュエータ６０は、各タブ６２ｂにおいてネジ６６を締め付けることによりブラケット４０の下壁部４０ａに固定されている。
【００５９】
出力軸部材６４の先端部６４ａは、その軸部よりも径の大きい球状に形成されているが、該先端部６４ａの最先端部分は平面状に形成されている。そして、この出力軸部材６４は、その先端部６４ａにおいてエイミングナット５２に連結されている。
【００６０】
この出力軸部材６４の先端部６４ａとエイミングナット５２との連結は、エイミングスクリュウ４６の回転中心となる灯具前後方向に延びる軸線Ａｘ１を含む鉛直面から左右方向に離れた位置において行われている。具体的には、出力軸部材６４の先端部６４ａとエイミングナット５２との連結位置Ｄは、螺合位置Ｃに対して車幅方向内側（左側）に変位している。また、この連結位置Ｄは、螺合位置Ｃに対して灯具前方側にも変位している。
【００６１】
エイミングナット５２は、樹脂製の射出成形品として構成されており、ランプボディ１２に対して灯具前後方向にスライド可能に支持されている。
【００６２】
このエイミングナット５２における連結位置Ｄの部分には、出力軸部材６４の先端部６４ａを嵌め込むための凹部５２ａが形成されている。また、このエイミングナット５２における螺合位置Ｃの部分には、エイミングスクリュウ４６と螺合するスクリュウ螺合部５２ｂが形成されている。そして、これら凹部５２ａおよびスクリュウ螺合部５２ｂは、水平面に沿って延びる板状本体部５２ｃを介して一体化されている。
【００６３】
凹部５２ａは、上下方向に延びるようにして筒状に形成されており、その外周面の上下方向中央部において板状本体部５２ｃに接続されている。その際、この凹部５２ａは、該凹部５２ａに嵌め込まれた出力軸部材６４の先端部６４ａが上下方向および左右方向にそれぞれ所要量相対変位し得る内周面形状を有している。
【００６４】
具体的には、この凹部５２ａは、出力軸部材６４の先端部６４ａの径よりも僅かに大きい前後幅で平面状に形成された前後１対の鉛直面と、出力軸部材６４の先端部６４ａの径よりもある程度大きい円筒面の一部として形成された左右１対の鉛直面と、出力軸部材６４の先端部６４ａの上下幅よりも多少深い位置に形成された底壁面とを有している。
【００６５】
これにより、この凹部５２ａに先端部６４ａが嵌め込まれた出力軸部材６４は、その灯具前後方向の移動をエイミングナット５２に的確に伝達する一方、上下方向に関しては多少の遊びを持たせるとともに左右方向に関しては比較的大きな遊びを持たせるようになっている。
【００６６】
この凹部５２ａにおける前後１対の鉛直面の上端部には、該凹部５２ａに嵌め込まれた出力軸部材６４の先端部６４ａが該凹部５２ａから抜け出してしまうのを防止するための突起部５２ａ１が左右方向に所定長にわたって延びるように形成されている。また、この凹部５２ａの底壁部における各突起部５２ａの各々の真下に位置する部分には、該突起部５２ａ１よりもひとまわり大きいスリット５２ａ２がそれぞれ形成されている。
【００６７】
一方、スクリュウ螺合部５２ｂは、灯具前後方向に延びるようにして半円筒状に形成されており、その下端部において板状本体部５２ｃに接続されている。
【００６８】
このスクリュウ螺合部５２ｂの後端部には、エイミングスクリュウ４６との螺合が容易に行われるようにするためのロート状開口部５２ｂ１が形成されている。
【００６９】
図５および６に示すように、板状本体部５２ｃは、平面視において灯具前後方向および左右方向に延びるようにして略十字状に形成されている。そして、この板状本体部５２ｃの左方延出部５２ｃ１に凹部５２ａが配置されており、その後方延出部５２ｃ２にスクリュウ螺合部５２ｂが配置されている。
【００７０】
後方延出部５２ｃ２は、スクリュウ螺合部５２ｂよりもある程度広い左右幅で形成されている。そして、エイミングナット５２は、この後方延出部５２ｃ２においてランプボディ１２に対して灯具前後方向にスライド可能に支持されるようになっている。
【００７１】
この後方延出部５２ｃ２の下面には、略半円筒状の断面形状で灯具前後方向に延びる左右１対の弾性片５２ｅが形成されている。これら左右１対の弾性片５２ｅは、互いに向き合う内側の部分が後方延出部５２ｃ２の下面から離れた状態で形成されており、これにより上下方向の押圧力により弾性変形するようになっている。各弾性片５２ｅの前端面は、鉛直面に沿って延びるように形成されているが、その後端面は、鉛直面に対して灯具前方側に傾斜して延びるように形成されている。
【００７２】
一方、左方延出部５２ｃ１は、凹部５２ａよりも多少広い前後幅で形成されており、その先端部（すなわち凹部５２ａよりも左側の位置）には、該左方延出部５２ｃ１に対して一段低い位置で水平方向に延びる段下がり部５２ｄが形成されている。
【００７３】
この段下がり部５２ｄには、灯具前後方向に延びる矩形状の開口部５２ｄ１が形成されており、この開口部５２ｄ１内には、灯具前後方向に延びる矩形状の弾性片５２ｆが配置されている。この弾性片５２ｆは、段下がり部５２ｄにおける開口部５２ｄ１の後端縁の位置から灯具前方へ向けてやや下向きに延びるようにしてカンチレバー状に形成されている。
【００７４】
板状本体部５２ｃの前方延出部５２ｃ３は、後方延出部５２ｃ２よりも狭い左右幅で形成されており、その前端部には前方延出部５２ｃ３の前端縁に沿って上方へ向けて延びるフランジ部５２ｇが形成されている。
【００７５】
この前方延出部５２ｃ３の下面におけるエイミングスクリュウ４６の軸線Ａｘ１よりも右側に位置する部分には、エイミングナット５２をランプボディ１２に対して左右方向に弾性的に押圧するための弾性片５２ｈが形成されている、
この弾性片５２ｈは、軸線Ａｘ１の略真下の位置において灯具前後方向に延びる鉛直壁部の後端位置から灯具前方へ向けてＪ字状に折り返すようにして延びており、その前端部の右側面には上下方向に延びる半円柱状の突起部５２ｈ１が形成されている。
【００７６】
板状本体部５２ｃの右方延出部５２ｃ４は、左方延出部５２ｃ１よりも狭い前後幅で形成されており、その先端部（すなわち軸線Ａｘ１よりも右側の位置）には、エイミングナット５２が連結位置Ｄを中心にして所定角度以上回動するのを阻止するためのストッパー５２ｉが形成されている。
【００７７】
図３に示すように、ブラケット４０には、その下壁部４０ａの右端部から下方に延びるナット係合片４０ｂが形成されている。このナット係合片４０ｂは、Ｌ字形の断面形状で灯具前後方向に所定長にわたって延びるように形成されている。その際、このナット係合片４０ｂは、下壁部４０ａから下方へ延びた後、その先端部が右方向へ直角に折れ曲がるように形成されている。
【００７８】
ストッパー５２ｉは、ナット係合片４０ｂの先端部をその下側、右側、上側から囲むように形成されている。その際、このストッパー５２ｉは、ナット係合片４０ｂの先端部と一定の間隔をおいて、ナット係合片４０ｂよりも短い前後長で形成されている。
【００７９】
図６において２点鎖線および破線で示すように、エイミングナット５２が連結位置Ｄを中心にして本来の位置（すなわちスクリュウ螺合部５２ｂの中心軸線が軸線Ａｘ１と一致する位置）から左右方向に所定角度回動すると、ストッパー５２ｉの側面壁の前端縁または後端縁がナット係合片４０ｂの先端部に当接してそれ以上の回動が規制されるようになっている。
【００８０】
また、エイミングナット５２が連結位置Ｄを中心にして本来の位置から上下方向に所定角度回動すると、ストッパー５２ｉの上面壁または下面壁がナット係合片４０ｂの先端部に当接してそれ以上の回動が規制されるようになっている。
【００８１】
図４に示すように、ランプボディ１２は、その下面壁１２ａにおける後面壁１２ｂ寄りの部分が他の一般部に対して一段高い段上がり部１２ａ１として形成されている。
【００８２】
そして、この段上がり部１２ａ１の上面には、エイミングナット５２を灯具前後方向にスライド可能に支持するための左右１対のスライド係合部１２ｃが、後面壁１２ｂから灯具前方へ向けて平行に延びるように形成されている。
【００８３】
また、ランプボディ１２の下面壁１２ａの一般部には、灯具前方へ向けて直線状に延びる１対のビード１２ｄが形成されている。これら１対のビード１２ｄは、右側に位置するスライド係合部１２ｃよりもやや左側の位置と、この位置から弾性片５２ｈ全体の左右幅と略同じ寸法分だけ左側に離れた位置とに形成されている。
【００８４】
図７に示すように、エイミングナット５２は、その凹部５２ａに出力軸部材６４の先端部６４ａが嵌め込まれた状態で、ランプボディ１２に対して灯具前方側から図中矢印で示す方向へ向けて組み付けられるようになっている。
【００８５】
すなわち、左右１対のスライド係合部１２ｃの間に、エイミングナット５２の板状本体部５２ｃの後方延出部５２ｃ２を挿入した後、エイミングナット５２のスクリュウ螺合部５２ｂをエイミングスクリュウ４６の先端部に挿入して該エイミングスクリュウ４６と螺合させながら灯具後方側へ移動させることにより、ランプボディ１２への組付けが行われるようになっている。
【００８６】
その際、エイミングナット５２のフランジ部５２ｄ３を灯具前方側から指で押すことにより、エイミングナット５２をランプボディ１２の下面壁１２ａの上面に沿って灯具後方側へ向けて容易に移動させ得るようになっている。またこのとき、左右１対の弾性片５２ｆを下面壁１２ａの段上がり部１２ａ１に当接させてこれを弾性変形させることにより、後方延出部５２ｃ２を左右１対のスライド係合部１２ｃに容易に係合させ得るようになっている。さらにこのとき、弾性片５２ｆを下面壁１２ａの一般部に当接させてこれを弾性変形させるとともに、弾性片５２ｈを１対のビード１２ｄの間に挿入して、その先端部５２ｈ１を弾性変形させながら右側のビード１２ｄに当接させることにより、エイミングナット５２の姿勢を安定的に維持するようになっている。
【００８７】
また、エイミングナット５２は、ランプボディ１２への組付けが行われる前の段階では、連結位置Ｄを中心にして本来の位置から回動し得る構成となっているが、そのストッパー５２ｉがブラケット４０のナット係合片４０ｂとの当接により所定角度以上の回動が規制され、かつ、そのスクリュウ螺合部５２ｂの後端部にはロート状開口部５２ｂ１が形成されているので、ランプボディ１２への組付け時にエイミングスクリュウ４６との螺合が容易に行われるようになっている。
【００８８】
図８は、本実施形態に係る車両用灯具１０のレベリング機能を説明するための、図２と同様の図である。
【００８９】
同図においては、灯具ユニット２０Ａがブラケット４０と共に、上下方向のエイミング基準位置にある状態から、レベリングアクチュエータ６０の駆動によって上下両方向にレベリングされる際の様子を示している。
【００９０】
同図において実線で示すように、灯具ユニット２０Ａが上下方向のエイミング基準位置にありかつレベリングが行われていない状態では、その光軸Ａｘが灯具前後方向に水平に延びている。
【００９１】
そして、同図において２点鎖線で示すように、灯具ユニット２０Ａを上向きにレベリングする際には、レベリングアクチュエータ６０の出力軸部材６４がアクチュエータ本体６２に対して灯具後方側へ相対的に移動する。その際、出力軸部材６４の先端部６４ａは、連結位置Ｄにおいて上下方向のエイミング基準位置にあるエイミングナット５２に連結されたままであるので、実際にはアクチュエータ本体６２が灯具前方側へ移動する。これにより、ブラケット４０と共に灯具ユニット２０Ａは、回動中心軸線Ｌａｂを中心にして上向きに回動し、その光軸Ａｘが斜め上向きに延びた状態となる。
【００９２】
一方、同図において破線で示すように、灯具ユニット２０Ａを下向きにレベリングする際には、レベリングアクチュエータ６０の出力軸部材６４がアクチュエータ本体６２に対して灯具前方側へ相対的に移動するが、実際にはアクチュエータ本体６２が灯具後方側へ移動する。これにより、ブラケット４０と共に灯具ユニット２０Ａは、回動中心軸線Ｌａｂを中心にして下向きに回動し、その光軸Ａｘが斜め下向きに延びた状態となる。
【００９３】
次に、本実施形態の作用効果について説明する。
【００９４】
本実施形態に係る車両用灯具１０は、灯具ユニット２０Ａをエイミングによる回動とは独立して上下方向に回動させるためのレベリングアクチュエータ６０を備えているが、このレベリングアクチュエータ６０の出力軸部材６４は、その先端部６４ａにおいて、灯具ユニット２０Ａを上下方向にエイミングするためのエイミングスクリュウ４６と螺合するエイミングナット５２に連結されているので、この出力軸部材６４をアクチュエータ本体６２に対して灯具前後方向に移動させることによってレベリングを行うことができる。
【００９５】
その際、レベリングアクチュエータ６０の出力軸部材６４は、灯具ユニット２０Ａに固定支持されたアクチュエータ本体６２から下方向へ向けて突出するように配置されており、従来のようにエイミングスクリュウ４６に対して直列的に配置された構成とはなっていないので、レベリングアクチュエータ６０とエイミングスクリュウ４６とを足し合わせた前後長を短くすることができ、これによりレベリングアクチュエータ６０を配置するためのスペースを確保することが容易に可能となる。
【００９６】
その上で、本実施形態においては、出力軸部材６４の先端部６４ａとエイミングナット５２とが、エイミングスクリュウ４６が回転する際の軸線Ａｘ１を含む鉛直面から左右方向に離れた位置において連結されているので、次のような作用効果を得ることができる。
【００９７】
すなわち、出力軸部材６４とエイミングナット５２との連結位置Ｄがエイミングスクリュウ４６とエイミングナット５２との螺合位置Ｃに対して左右方向にオフセットしているので、レベリングアクチュエータ６０の配置の自由度を高めることができ、これにより灯具構成に応じてレベリングアクチュエータ６０を配置するためのスペースを確保することが容易に可能となる。
【００９８】
したがって、図５に示すように、ランプボディ１２の後方近傍に車体側部材２（例えばウォッシャータンク用配管等）が配置されるために、これを避けるようにしてエイミングスクリュウ４６を配置することが必要となるような場合であっても、レベリングアクチュエータ６０を無理なく配置した状態で、その出力軸部材６４とエイミングナット５２との連結を行うことができる。
【００９９】
このように本実施形態によれば、レベリングアクチュエータ６０を備えた車両用灯具１０において、レベリングアクチュエータ６０を配置するためのスペースを灯具構成に応じて容易に確保することができる。
【０１００】
また本実施形態によれば、出力軸部材６４とエイミングナット５２との連結位置Ｄがエイミングスクリュウ４６とエイミングナット５２との螺合位置Ｃに対して左右方向にオフセットしていることによって、レベリングアクチュエータ６０とエイミングナット５２とを足し合わせた上下幅を小さくすることも容易に可能となる。
【０１０１】
しかも本実施形態においては、エイミングナット５２がランプボディ１２に対して灯具前後方向にスライド可能に支持されているので、灯具ユニット２０Ａを上下方向にエイミングするためにエイミングスクリュウ４６を回転させたとき、エイミングナット５２が連れ回りしようとしてレベリングアクチュエータ６０の出力軸部材６４との連結部分に無理な力が掛かってしまうのを未然に防止することができる。
【０１０２】
その際、エイミングナット５２には、出力軸部材６４との連結位置Ｄの左右両側に位置する部分に、該エイミングナット５２をランプボディ１２に対して上下方向に弾性的に押圧するための弾性片５２ｅ、５２ｆがそれぞれ形成されているので、出力軸部材６４とエイミングナット５２との連結位置Ｄがエイミングスクリュウ４６とエイミングナット５２との螺合位置Ｃに対して左右方向にオフセットしているにもかかわらず、エイミングナット５２とランプボディ１２との係合状態を確実に維持した上で、エイミングナット５２をランプボディ１２に対してスライドさせるようにすることができる。
【０１０３】
また本実施形態においては、エイミングナット５２において軸線Ａｘ１を含む鉛直面に関して出力軸部材６４との連結位置Ｄとは反対側に位置する部分に、該エイミングナット５２をランプボディ１２に対して左右方向に弾性的に押圧するための弾性片５２ｈが形成されているので、次のような作用効果を得ることができる。
【０１０４】
すなわち、出力軸部材６４とエイミングナット５２との連結位置Ｄがエイミングスクリュウ４６とエイミングナット５２との螺合位置Ｃに対して左右方向にオフセットしている場合には、レベリングやエイミングを行うことによってエイミングナット５２を左右方向に変位させようとする外力が作用することとなるが、弾性片５２ｈによってエイミングナット５２が左右方向に弾性的に押圧されているので、エイミングナット５２の変位を規制することができる。そしてこれにより、エイミングナット５２とランプボディ１２との係合状態を確実に維持した上でレベリングやエイミングを行うことができる。
【０１０５】
さらに本実施形態においては、エイミングナット５２において軸線Ａｘ１を含む鉛直面に関して出力軸部材６４との連結位置Ｄとは反対側に位置する部分に、該エイミングナット５２が連結位置Ｄを中心にして所定角度以上回動するのを、灯具ユニット２０Ａを支持するブラケット４０との当接によって阻止するためのストッパー５２ｉが形成されているので、灯具製造工程において次のような作用効果を得ることができる。
【０１０６】
すなわち、ブラケット４０にレベリングアクチュエータ６０を取り付けて、その出力軸部材６４にエイミングナット５２を連結した後、このブラケット４０をランプボディ１２に組み付ける際、ストッパー５２ｉによるエイミングナット５２の回動規制作用によってエイミングナット５２の姿勢を一定の傾斜角度範囲内に収めることができるので、ランプボディ１２に支持されたエイミングスクリュウ４６に対してエイミングナット５２を容易に螺合させることができる。
【０１０７】
また本実施形態においては、エイミングナット５２に、レベリングアクチュエータ６０の出力軸部材６４の先端部６４ａを嵌め込むための凹部５２ａが形成されているが、この凹部５２ａは該凹部５２ａに嵌め込まれた出力軸部材６４の先端部６４ａが上下方向に所要量相対変位し得る内周面形状を有しているので、レベリングアクチュエータ６０の出力軸部材６４とエイミングナット５２との連結部分に無理な力が掛からないようにした上で、出力軸部材６４の灯具前後方向の移動を灯具ユニット２０Ａの上下方向の回動として動力伝達することができる。そしてこれにより、レベリングおよび上下方向のエイミングが円滑に行われるようにすることができ、また各部材の組付け誤差を吸収することが可能となる。
【０１０８】
しかも、このエイミングナット５２の凹部５２ａは、該凹部５２ａに嵌め込まれた出力軸部材６４の先端部６４ａが左右方向に所要量相対変位し得る内周面形状を有しているので、レベリングや上下方向のエイミングを行う際の灯具ユニット２０Ａの回動中心軸線Ｌａｂが車幅方向に対して前後方向に傾斜した方向に延びているにもかかわらず、レベリングアクチュエータ６０の出力軸部材６４とエイミングナット５２との連結部分に無理な力が掛からないようにすることができ、また、これにより各部材の組付け誤差を吸収することが可能となる。
【０１０９】
上記実施形態においては、出力軸部材６４の先端部６４ａとエイミングナット５２との連結位置Ｄが、軸線Ａｘ１を含む鉛直面から車幅方向内側（左側）に離れた位置に設定されているものとして説明したが、車幅方向外側（右側）に離れた位置に設定された構成を採用することも可能である。
【０１１０】
上記実施形態においては、弾性片５２ｅ、５２ｆがエイミングナット５２と一体的に形成されているものとして説明したが、エイミングナット５２に金属製の弾性片が別部材として取り付けられた構成等を採用することも可能である。
【０１１１】
上記実施形態においては、２つの灯具ユニット２０Ａ、２０Ｂがいずれもプロジェクタ型の灯具ユニットであるものとして説明したが、これらの代わりにパラボラ型の灯具ユニット等を採用することも可能である。
【０１１２】
上記実施形態においては、２つの灯具ユニット２０Ａ、２０Ｂがブラケット４０を介してランプボディ１２に支持されているものとして説明したが、１つまたは３つ以上の灯具ユニットがブラケット４０を介してランプボディ１２に支持された構成とすることも可能であり、また、灯具ユニットがブラケット４０を介することなくランプボディ１２に直接支持された構成とすることも可能である。
【０１１３】
次に、上記実施形態の変形例について説明する。
【０１１４】
まず、上記実施形態の第１変形例について説明する。
【０１１５】
図９は、本変形例に係るエイミングナット１５２の要部を示す底面図である。
【０１１６】
同図に示すように、このエイミングナット１５２の基本的な構成は上記実施形態の場合と同様であるが、板状本体部１５２ｃの前方延出部１５２ｃ３の部分の構成が上記実施形態の場合と一部異なっている。
【０１１７】
すなわち、上記実施形態のエイミングナット５２においては、板状本体部５２ｃの前方延出部５２ｃ３の下面に弾性片５２ｈが形成されているが、本変形例のエイミングナット１５２においては、板状本体部１５２ｃの前方延出部１５２ｃ３の下面に弾性片支持部１５２ｊが形成されており、この弾性片支持部１５２ｊに金属製の弾性片１６０が装着されている。
【０１１８】
この弾性片１６０は、板バネを水平面内において略Ｃ字状に形成することにより形成されている。そして、この弾性片１６０は、その基端部１６０ｂが弾性片支持部１５２ｊの係合部１５２ｊ１に係合固定されており、その先端部１６０ａが弾性片支持部１５２ｊから右方向へ突出している。
【０１１９】
本変形例においても、エイミングナット１５２をランプボディ１２に組み付ける際、弾性片１６０の先端部１６０ａを下面壁１２ａのビード１２ｄに当接させることにより、エイミングナット１５２の姿勢を安定的に維持するようになっている。
【０１２０】
本変形例の構成を採用した場合においても、上記実施形態の場合と同様の作用効果を得ることができる。
【０１２１】
また、本変形例の構成を採用することにより、弾性片１６０の弾性反発力を十分に確保することが可能となる。
【０１２２】
次に、上記実施形態の第２変形例について説明する。
【０１２３】
図１０は、本変形例に係る車両用灯具２１０を示す、図２と同様の図である。
【０１２４】
同図に示すように、この車両用灯具２１０の基本的な構成は上記実施形態の場合と同様であるが、本変形例においては、灯具ユニット２０Ａをブラケット２４０と共にエイミングおよびレベリングするための機構が上記実施形態の場合と上下反転した状態で配置されており、これに伴いランプボディ２１２の構成も上記実施形態の場合と一部異なっている。
【０１２５】
すなわち本変形例においては、灯具ユニット２０Ａを支持するブラケット２４０が上記実施形態のブラケット４０を上下反転させた形状を有しており、そして、灯具ユニット２０Ａを上下方向にエイミングする際の回動中心軸線Ｌａｂが灯具ユニット２０Ａの下方側に位置している。
【０１２６】
また本変形例においても、灯具ユニット２０Ａを左右方向にエイミングする際の回動中心軸線Ｌａｃは鉛直方向に延びる直線であるが、係合位置Ａと連結位置Ｄとの位置関係が上記実施形態の場合と逆になっている。
【０１２７】
これに伴い、本変形例においては、灯具ユニット２０Ａの下方側にピボット４２およびスフェリカルステップベアリング４８が位置しており、また、灯具ユニット２０Ａの上方側にエイミングスクリュウ４６およびエイミングナット５０ならびにレベリングアクチュエータ６０が位置している。
【０１２８】
そして本変形例においては、レベリングアクチュエータ６０の出力軸部材６４が、アクチュエータ本体６２から上方向（具体的には真上の方向）へ向けて突出するように配置された状態でエイミングナット５２に連結されている。
【０１２９】
本変形例のランプボディ２１２は、その上面壁２１２ｅにおける後面壁２１２ｂ寄りの部分が段下がり部２１２ｅ１として形成されており、この段下がり部２１２ａ１の下面には左右１対のスライド係合部２１２ｃが形成されており、また、ランプボディ２１２の上面壁２１２ｅの一般部には１対のビード２１２ｄが形成されている。
【０１３０】
本変形例の構成を採用した場合においても、レベリングアクチュエータ６０の出力軸部材６４は、灯具ユニット２０Ａに固定支持されたアクチュエータ本体６２から上方向へ向けて突出するように配置されており、従来のようにエイミングスクリュウ４６に対して直列的に配置された構成とはなっていないので、レベリングアクチュエータ６０とエイミングスクリュウ４６とを足し合わせた前後長を短くすることができ、これによりレベリングアクチュエータ６０を配置するためのスペースを確保することが容易に可能となる。
【０１３１】
また本変形例においても、出力軸部材６４とエイミングナット５２との連結位置Ｄがエイミングスクリュウ４６とエイミングナット５２との螺合位置Ｃに対して左右方向にオフセットしているので、レベリングアクチュエータ６０の配置の自由度を高めることができ、これにより灯具構成に応じてレベリングアクチュエータ６０を配置するためのスペースを確保することが容易に可能となる。
【０１３２】
次に、上記実施形態の第３変形例について説明する。
【０１３３】
図１１は、本変形例に係る車両用灯具３１０を示す、図２と同様の図である。
【０１３４】
同図に示すように、この車両用灯具３１０の基本的な構成は上記第２変形例の場合と同様であるが、エイミングスクリュウ３４６の構成が上記第２変形例の場合と異なっており、これに伴ってランプボディ３１２の構成も上記第２変形例の場合と一部異なっている。
【０１３５】
すなわち、本変形例のエイミングスクリュウ３４６は、灯具前後方向に延びるスクリュウ本体部３４６Ａと上下方向に延びる駆動用軸部３４６Ｂとが１対の傘歯車３４６Ａａ、３４６Ｂａを介して連結された構成となっている。
【０１３６】
スクリュウ本体部３４６Ａは、上記第２変形例のエイミングスクリュウ４６と同様、灯具前後方向に延びる軸線Ａｘ１上に配置されている。このスクリュウ本体部３４６Ａは、上記第２変形例のエイミングスクリュウ４６の後部が切断されたような形状を有しており、傘歯車３４６Ａａはその後端部に固定されている。
【０１３７】
本変形例のランプボディ３１２も、その上面壁３１２ｅにおける後面壁３１２ｂ寄りの部分が段下がり部３１２ｅ１として形成されており、この段下がり部３１２ａ１の下面には左右１対のスライド係合部３１２ｃが形成されており、また、ランプボディ３１２の上面壁３１２ｅの一般部にはビード３１２ｄが形成されている。
【０１３８】
そして、上面壁３１２ｅの段下がり部３１２ｅ１には、このスクリュウ本体部３４６Ａを傘歯車３４６Ａａの前方近傍において回転可能に支持する支持具３１８が設けられている。
【０１３９】
一方、駆動用軸部３４６Ｂは、軸線Ａｘ１と直交するようにして鉛直方向に延びる軸線Ａｘ２上に配置されており、その上端部においてランプボディ３１２の上面壁３１２ｄに回転可能に支持されている。傘歯車３４６Ｂａは、この駆動用軸部３４６Ｂｈの下端部に固定された状態で、スクリュウ本体部３４６Ａの傘歯車３４６Ａａと噛合している。
【０１４０】
そして本変形例においては、エイミングスクリュウ３４６の駆動用軸部３４６Ｂを軸線Ａｘ２回りに回転させることにより、そのスクリュウ本体部３４６Ａを軸線Ａｘ１回りに回転させ、これにより灯具ユニット２０Ａの上下方向のエイミングを行うようになっている。
【０１４１】
このようなエイミングスクリュウ３４６の配置を可能とするため、本変形例のランプボディ３１２は、その後面壁３１２ｂの上部が他の一般部に対して灯具後方側に張り出す後方張出し部３１２ｂ１として形成されている。
【０１４２】
本変形例の構成を採用した場合においても、上記第２変形例の場合と同様の作用効果を得ることができる。
【０１４３】
また、本変形例の構成を採用することにより、灯具ユニット２０Ａの上下方向のエイミングを、車両用灯具３１０の上方側からの操作によって容易に行うことが可能となる。
【０１４４】
なお、上記実施形態およびその変形例において諸元として示した数値は一例にすぎず、これらを適宜異なる値に設定してもよいことはもちろんである。
【０１４５】
また、本願発明は、上記実施形態およびその変形例に記載された構成に限定されるものではなく、これ以外の種々の変更を加えた構成が採用可能である。
【符号の説明】
【０１４６】
２  車体側部材
１０、２１０、３１０  車両用灯具
１２、２１２、３１２  ランプボディ
１２ａ  下面壁
１２ａ１  段上がり部
１２ｂ、３１２ｂ  後面壁
１２ｃ、２１２ｃ、３１２ｃ  スライド係合部
１２ｄ、２１２ｄ、３１２ｄ  ビード
１４  透光カバー
１６  エクステンションパネル
１６ａ  円形開口部
２０Ａ、２０Ｂ  灯具ユニット
２２  投影レンズ
２４  発光素子
２６  リフレクタ
２８  レンズホルダ
３０  ベース部材
３０ａ  上向き反射面
３０ｂ  放熱フィン
４０、２４０  ブラケット
４０ａ  下壁部
４０ｂ  ナット係合片
４２  ピボット
４２ａ  先端部
４４、４６、３４６  エイミングスクリュウ
４８  スフェリカルステップベアリング
５０、５２、１５２  エイミングナット
５２ａ  凹部
５２ａ１  突起部
５２ｂ  スクリュウ螺合部
５２ｂ１  ロート状開口部
５２ｃ、１５２ｃ  板状本体部
５２ｃ１  左方延出部
５２ｃ２  後方延出部
５２ｃ３、１５２ｃ３  前方延出部
５２ｃ４  右方延出部
５２ｄ  段下がり部
５２ｄ１  開口部
５２ｅ、５２ｆ、５２ｈ  弾性片
５２ｇ  フランジ部
５２ｈ１  突起部
５２ｉ  ストッパー
６０  レベリングアクチュエータ
６２  アクチュエータ本体
６２ａ  長孔
６２ｂ  タブ
６４  出力軸部材
６４ａ  先端部
６６  ネジ
１５２ｊ  弾性片支持部
１５２ｊ１  係合部
１６０  弾性片
１６０ａ  先端部
１６０ｂ  基端部
２１２ｅ、３１２ｅ  上面壁
２１２ｅ１、３１２ｅ１  段下がり部
３１２ｂ１  後方張出し部
３１８  支持具
３４６Ａ  スクリュウ本体部
３４６Ａａ、３４６Ｂａ  傘歯車
３４６Ｂ  駆動用軸部
Ａ  係合位置
Ａｘ  光軸
Ａｘ１、Ａｘ２  軸線
Ｂ、Ｃ  螺合位置
Ｄ  連結位置
Ｆ  後側焦点
Ｌａｂ、Ｌａｃ  回動中心軸線
【図１】
2019061810.tif 000003
【図２】
2019061810.tif 000004
【図３】
2019061810.tif 000005
【図４】
2019061810.tif 000006
【図５】
2019061810.tif 000007
【図６】
2019061810.tif 000008
【図７】
2019061810.tif 000009
【図８】
2019061810.tif 000010
【図９】
2019061810.tif 000011
【図１０】
2019061810.tif 000012
【図１１】
2019061810.tif 000013